(57)【要約】      （修正有）【課題】海流の流動に従って回動し、魚による激しい引きによって破損することがない、ガイドプーリー構造を有する仕掛け及びそのガイドプーリーを提供する。【解決手段】ガイドプーリー構造を有する仕掛けは、ガイドプーリーＡ、Ｂ、Ｃと、道糸１と、ガイドプーリーに組み合わされる針付ハリス２ａ、２ｂ、２ｃとを含む。ガイドプーリーには、ガイドプーリーを縦向きに貫通する第１の貫通孔Ａ１と、ガイドプーリーを横向きに貫通する第２の貫通孔Ａ２とが形成される。第１の貫通孔は、第２の貫通孔に連通していない。道糸が第１の貫通孔を介してガイドプーリーを貫通することで、ガイドプーリーは、道糸に対して回動し、針付ハリスが第２の貫通孔を介してガイドプーリーを貫通することで、針付ハリスは、ガイドプーリーに対して回動する。【選択図】図２
0003199925.tif 000002
【実用新案登録請求の範囲】
【請求項１】
縦向きに貫通する第１の貫通孔及び横向きに貫通すると共に前記第１の貫通孔に連通していない第２の貫通孔が形成されるガイドプーリーと、
道糸と、
前記ガイドプーリーに組み合わされる針付ハリスと、
を含み、
前記道糸が前記第１の貫通孔を介して前記ガイドプーリーを貫通することで、前記ガイドプーリーが前記道糸に対して回動し、前記針付ハリスが前記第２の貫通孔を介して前記ガイドプーリーを貫通することで、前記針付ハリスが前記ガイドプーリーに対して回動する、
ことを特徴とするガイドプーリー構造を有する仕掛け。
【請求項２】
前記ガイドプーリーは、球状体であり、プラスチックから成ることを特徴とする請求項１に記載のガイドプーリー構造を有する仕掛け。
【請求項３】
前記第１の貫通孔は、前記ガイドプーリーの球心を縦向きに貫通し、前記第２の貫通孔は、前記ガイドプーリーの弦を横向きに貫通することを特徴とする請求項１に記載のガイドプーリー構造を有する仕掛け。
【請求項４】
前記第２の貫通孔は、前記第１の貫通孔に直交しないことを特徴とする請求項１に記載のガイドプーリー構造を有する仕掛け。
【請求項５】
前記第１の貫通孔の孔径は、前記道糸の線径以上であり、前記第２の貫通孔の孔径は、前記針付ハリスの線径以上であることを特徴とする請求項１に記載のガイドプーリー構造を有する仕掛け。
【請求項６】
前記道糸に前記ガイドプーリーに対応する位置決め素子が設けられており、前記位置決め素子が前記ガイドプーリーの下方に位置することで、前記ガイドプーリーが、下向きに摺動して前記位置決め素子の上方に位置決められることを特徴とする請求項１に記載のガイドプーリー構造を有する仕掛け。
【請求項７】
前記道糸に前記ガイドプーリーに対応する２つの位置決め素子が設けられており、且つ前記２つの位置決め素子がそれぞれ前記ガイドプーリーの上方と下方とに位置していることで、前記ガイドプーリーが前記２つの位置決め素子の間に位置決められることを特徴とする請求項１に記載のガイドプーリー構造を有する仕掛け。
【請求項８】
前記第１の貫通孔の両端の縁部がそれぞれ弧形であり、前記第２の貫通孔の両端の縁部がそれぞれ弧形であることを特徴とする請求項１に記載のガイドプーリー構造を有する仕掛け。
【請求項９】
前記ガイドプーリーに、前記ガイドプーリーを横向きに貫通する第３の貫通孔が更に形成され、且つ前記第２の貫通孔と前記第３の貫通孔とが互いに交差しないように設けられていることを特徴とする請求項１に記載のガイドプーリー構造を有する仕掛け。
【請求項１０】
道糸と針付ハリスとの間に設けられるための仕掛け用のガイドプーリーであって、
前記ガイドプーリーを縦向きに貫通する第１の貫通孔と、
前記ガイドプーリーを横向きに貫通すると共に前記第１の貫通孔に連通していない第２の貫通孔と、
を含み、
前記道糸が前記第１の貫通孔を介して前記ガイドプーリーを貫通することで、前記ガイドプーリーが前記道糸に対して回動し、前記針付ハリスが前記第２の貫通孔を介して前記ガイドプーリーを貫通することで、前記針付ハリスが前記ガイドプーリーに対して回動することを特徴とする仕掛け用のガイドプーリー。
【考案の詳細な説明】
【技術分野】
【０００１】
本考案は、釣具の仕掛けに関し、特にガイドプーリー構造を有する仕掛け及びそのガイドプーリーに関する。
【背景技術】
【０００２】
近年、釣り人口の急激な増加に伴い、釣具の開発は、釣竿の成熟化から、仕掛けの開発へと漸次変化している。図１に示すように、仕掛けの釣糸について見ると、従来の仕掛けには、道糸８及び複数の針付ハリス９ｅ、９ｆ、９ｇが含まれる。道糸８は、複数の直列接続糸が直列接続されて成る糸の組み合わせであり、複数の鉄製三又サルカンＥ、Ｆ、Ｇが直列接続されている。これによって、道糸８には、釣果を増やすために、鉄製三又サルカンＥ、Ｆ、Ｇを介して複数の針付ハリス９ｅ、９ｆ、９ｇが結合されている。
【０００３】
しかしながら、鉄製三又サルカンは、体積が大きく且つコストが高く、更に糸を結ぶ方法によって複数の鉄製三又サルカンを道糸に結び付けなければならず、水中の石の隙間に引っかかりやすい。従って、一旦隙間に引っかかった又はアタリがあった時の瞬間的な引張力によって、道糸が容易に切れてしまう問題があり、ひいては、複数の鉄製三又サルカンが水中に没して無駄となり、且つ道糸が切れた後、鉄製三又サルカンをもう一度結び直さなければならない手間がかかる問題があった。
【０００４】
上述した欠点が改善可能であることに鑑み、本考案者は、鋭意研究を行い学理を併せて運用した結果、構成が合理的で且つ上述した欠点を改善した本考案を見出した。
【考案の概要】
【考案が解決しようとする課題】
【０００５】
本考案は、体積が小さく且つコストが低廉であり、海流の流動に従って回動し、魚による激しい引きによって破損することがなく、糸の抜け落ちの原因となる手間をかけて糸を結ぶ方法を用いる必要がない、ガイドプーリー構造を有する仕掛け及びそのガイドプーリーを提供することを主な課題とする。
【課題を解決するための手段】
【０００６】
本考案に係るガイドプーリー構造を有する仕掛けは、縦向きに貫通する第１の貫通孔及び横向きに貫通すると共に第１の貫通孔に連通していない第２の貫通孔が形成されるガイドプーリーと、道糸と、ガイドプーリーに組み合わされる針付ハリスと、を含み、道糸が第１の貫通孔を介してガイドプーリーを貫通することで、ガイドプーリーが道糸に対して回動し、針付ハリスが第２の貫通孔を介してガイドプーリーを貫通することで、針付ハリスがガイドプーリーに対して回動する、ことを特徴とする。
【０００７】
本考案に係る仕掛け用のガイドプーリーは、道糸と針付ハリスとの間に設けられるための仕掛け用のガイドプーリーであって、ガイドプーリーを縦向きに貫通する第１の貫通孔と、ガイドプーリーを横向きに貫通すると共に第１の貫通孔に連通していない第２の貫通孔と、を含み、道糸が第１の貫通孔を介してガイドプーリーを貫通することで、ガイドプーリーが道糸に対して回動し、針付ハリスが第２の貫通孔を介してガイドプーリーを貫通することで、針付ハリスがガイドプーリーに対して回動することを特徴とする。
【考案の効果】
【０００８】
本考案に係るガイドプーリー構造を有する仕掛け及びそのガイドプーリーによれば、ガイドプーリーに当該ガイドプーリーを縦向きに貫通する第１の貫通孔と、当該ガイドプーリーを横向きに貫通すると共に第１の貫通孔に連通していない第２の貫通孔とが形成されることによって、道糸が第１の貫通孔を介してガイドプーリーを貫通し、針付ハリスが第２の貫通孔を介してガイドプーリーを貫通することから、ガイドプーリーは道糸に対して回動し、針付ハリスはガイドプーリーに対して回動することができる。これによって、ガイドプーリー、道糸及び針付ハリスのそれぞれは、互いに結び付けられることがなく、海流の流動に従って回動することができるとともに、魚を引き付ける敏捷性を増大することができるため、一旦アタリがあると、ガイドプーリーは道糸に対して自由に３６０度回転することができ、且つ針付ハリスはガイドプーリーに対して自転することができることから、魚が絶えず身をよじることによって針付ハリスが湾曲変形して破損するようなことがない。なお、道糸は、一本の糸から成り、一度に複数のガイドプーリーを貫通することができるのであって、複数の直列接続糸が直列接続されて成る糸の組み合わせではないから、道糸が容易に切れてしまう問題を解決することができると共に、使用者は、手間をかけて糸を結ぶ方法を用いて複数のガイドプーリーを道糸に結び付ける必要がなく、一旦アタリがあった時に結び付けの力が足りずに糸が抜け落ちるおそれがあることを心配する必要もない。
【図面の簡単な説明】
【０００９】
【図１】従来の仕掛けを示した図である。
【図２】本考案の第１の実施例に係るガイドプーリー構造を有する仕掛けを示した図である。
【図３】図２のガイドプーリーを示した斜視図である。
【図４】本考案の第２の実施例に係るガイドプーリー構造を有する仕掛けを示した図である。
【図５】図４に係るガイドプーリーを示した斜視図である。
【図６】本考案の第３の実施例に係るガイドプーリー構造を有する仕掛けを示した図である。
【図７】本考案の第４の実施例に係るガイドプーリー構造を有する仕掛けを示した図である。
【図８（ａ）】図３に係るガイドプーリーにおける中央の第１の貫通孔に沿って切断した断面図（一）である。
【図８（ｂ）】図３に係るガイドプーリーにおける前部の第２の貫通孔に沿って切断した断面図（一）である。
【図８（ｃ）】図３に係るガイドプーリーにおける中央の第１の貫通孔に沿って切断した断面図（二）である。
【図８（ｄ）】図３に係るガイドプーリーにおける前部の第２の貫通孔に沿って切断した断面図（二）である。
【図９（ａ）】図５に係るガイドプーリーにおける中央の第１の貫通孔に沿って切断した断面図である。
【図９（ｂ）】図５に係るガイドプーリーにおける前部の第２の貫通孔に沿って切断した断面図である。
【図９（ｃ）】図５に係るガイドプーリーにおける後部の第３の貫通孔に沿って切断した断面図である。
【考案を実施するための形態】
【００１０】
以下、本考案の特徴及び技術内容を更に理解できるように、図面を参照しながら実施例を説明する。当業者は、本考案の明細書に開示された内容に基づいて本考案のその他の利点及び効果を容易に理解することができる。本考案は、その他の異なる具体的な実施例によって実施又は応用することが可能であり、本明細書における細部の内容についても、異なる観点と応用とに基づいて、本考案の主旨を逸脱しない範囲において種々の修正及び変更を加えることができる。従って、本考案における全ての実施例は、例示するために用いるものに過ぎず、本考案を制限するものではない。本明細書における実施例だけでなく、本考案は、更にその他の実施例によっても本考案を広範に応用することが可能であり、且つ本考案は、如何なる実施例にも制限されず、如何なる修正又は変更も本考案の実用新案登録請求の範囲に含まれる。
【００１１】
図２及び図３は、本考案の第１の実施例に係るガイドプーリー構造を有する仕掛けを示した図である。本実施例に係るガイドプーリー構造を有する仕掛けは、３つのガイドプーリーＡ、Ｂ、Ｃを含む。本実施例では、３つのガイドプーリーを例にしたが、その他の実施例においては、実際の構成上の必要性又は使用者の需要に応じて、より多くのガイドプーリーを含んでもよい。従って、本考案に係るガイドプーリーの数は、制限されない。説明の便宜上、以下、ガイドプーリーＡの構造について詳述する。
【００１２】
ガイドプーリーＡは、略球状体（図３を参照）であり、アクリル樹脂等を含むプラスチックから成る。更に、ガイドプーリーＡには、ガイドプーリーＡを縦向き（又は第１の方向）に貫通する第１の貫通孔Ａ１（図８（ａ）を参照）と、ガイドプーリーＡを横向き（又は第２の方向）に貫通する第２の貫通孔Ａ２（図８（ｂ）を参照）とが形成されている。第１の貫通孔Ａ１は、第２の貫通孔Ａ２と連通していない。
【００１３】
本考案に係る好ましい実施例において、第１の貫通孔Ａ１は、ガイドプーリーＡの球心を縦向きに貫通し、第２の貫通孔Ａ２は、ガイドプーリーＡにおける任意の弦（球面上の２つの点を結ぶ線を球体の弦という）を横向きに貫通する。即ち、第２の貫通孔Ａ２がガイドプーリーＡの球心を貫通していないため、第２の貫通孔Ａ２は、第１の貫通孔Ａ１に連通していない。
【００１４】
本考案に係る好ましい実施例においては、第２の貫通孔Ａ２は、第１の貫通孔Ａ１に対して直交していないが、その他の実施例においては、第２の貫通孔Ａ２は第１の貫通孔Ａ１と直交していてもよい。
【００１５】
本実施例に係るガイドプーリー構造を有する仕掛けは、道糸１及びガイドプーリーＡと組み合わされる針付ハリス２ａを更に含む。道糸１は一本の釣糸であり、針付ハリス２ａは一端に針２１ａが結合されたハリス２２ａから成る。また、道糸１が第１の貫通孔Ａ１を介してガイドプーリーＡを貫通しているため、ガイドプーリーＡは、道糸１に対して回動することができ、針付ハリス２ａが第２の貫通孔Ａ２を介してガイドプーリーＡを貫通しているため、針付ハリス２ａは、ガイドプーリーＡに対して回動することができる。
【００１６】
更に、第１の貫通孔Ａ１の孔径の大きさは、道糸１の線径によって決まり、第２の貫通孔Ａ２の孔径の大きさは、針付ハリス２ａの線径によって決まる。第１の貫通孔Ａ１の孔径は、道糸１の線径以上であってもよく、第２の貫通孔Ａ２の孔径は、針付ハリス２ａの線径以上であってもよい。本考案に係る好ましい実施例において、第１の貫通孔Ａ１の孔径は、道糸１の線径よりも大きく、第２の貫通孔Ａ２の孔径は、針付ハリス２ａの線径よりも大きい。
【００１７】
また、その他の実施例において、第１の貫通孔Ａ１の両端の縁部は、それぞれ弧形である（図８（ｃ）を参照）。第２の貫通孔Ａ２の両端の縁部も、それぞれ弧形である（図８（ｄ）を参照）。これによって、釣りをしている最中に、道糸１とガイドプーリーＡとが相対的に大きく引っ張られた際、又は、針付ハリス２ａとガイドプーリーＡとが大きく引っ張られた際、道糸１が第１の貫通孔Ａ１の両端の縁部によって切断されたり、針付ハリス２ａが第２の貫通孔Ａ２の両端の縁部によって切断されたりすることを回避することができる。
【００１８】
また、道糸１には、ガイドプーリーＡに対応する位置決め素子１１ａが設けられている。位置決め素子１１ａは、ガイドプーリーＡの下方に位置し、これによって、ガイドプーリーＡは、下向きに摺動して位置決め素子１１ａの上方に位置決められることができる。本考案に係る好ましい実施例において、位置決め素子１１ａは、ウキ止めである。その他の実施例において、位置決め素子１１ａは、固定ブロック、固定グルーであってもよいが、これらに限定されない。位置決め素子１１ａが道糸１に固定されると共にガイドプーリーＡの下方に位置することによって、ガイドプーリーＡが下向きに摺動した際に道糸１から滑り脱落しないようにすることができる。
【００１９】
また、針付ハリス２ａの他端には、針付ハリス２ａが摺動してガイドプーリーＡから脱落することを防止するための固定ヘッド２３ａを有する。本考案に係る好ましい実施例においては、固定ヘッド２３ａは固結びである。その他の実施例においては、固定ヘッド２３ａは固定ブロック、固定グルーであってもよいが、これらに限定されない。
【００２０】
使用時には、道糸１の一端をガイドプーリーＡの第１の貫通孔Ａ１に通すと共に、道糸１におけるガイドプーリーＡの下方の位置にウキ止めを設け、針付ハリス２ａの他端をガイドプーリーＡの第２の貫通孔Ａ２に通すと共に、針付ハリス２ａの他端を固結びすればよく、使用上極めて便利であり、時間と労力を節約することができる。その他の２つのガイドプーリーＢ、Ｃ及びそれぞれ２つのガイドプーリーＢ、Ｃと組みわされる２つの針付ハリス２ｂ、２ｃの使用方法は、ガイドプーリーＡ及びガイドプーリーＡと組み合わされる針付ハリス２ａの使用方法と同一であるため、ここでは詳しい説明を省略する。
【００２１】
図４及び図５は、本考案の第２の実施例に係るガイドプーリー構造を有する仕掛けを示した図である。本実施例の構造は、第１の実施例の構造と略同じであり、本実施例の第１の実施例との相違点は、ガイドプーリーＡに、ガイドプーリーを縦向きに貫通する第１の貫通孔Ａ１、ガイドプーリーＡを横向きに貫通する第２の貫通孔Ａ２及びガイドプーリーＡを横向きに貫通する第３の貫通孔Ａ３が設けられると共に、第２の貫通孔Ａ２と第３の貫通孔Ａ３とが互いに交差しないように設けられていることである（図９（ａ）、図９（ｂ）、図９（ｃ）を参照）。更に、第２の貫通孔Ａ２は、第３の貫通孔Ａ３に連通していない。これによって、本実施例に係るガイドプーリー構造を有する仕掛けは、ガイドプーリーＡに組み合わされる２つの針付ハリス２ａを含むことができ、この２つの針付ハリス２ａが、相対的に反対方向に向かってそれぞれ第２の貫通孔Ａ２及び第３の貫通孔Ａ３を介してガイドプーリーＡを貫通することにより、ガイドプーリーＡは、ガイドプーリーＡに対して回動する針付ハリス２ａを同時に２つ有することができる。また、本実施例に係るガイドプーリー構造を有する仕掛けが、ガイドプーリーＢに組み合わされる２つの針付ハリス２ｂと、ガイドプーリーＣに組み合わされる２つの針付ハリス２ｃとを更に含むことにより、ガイドプーリーＢは、ガイドプーリーＢに対して回動する針付ハリス２ｂを同時に２つ有することができ、且つガイドプーリーＣは、ガイドプーリーＣに対して回動する針付ハリス２ｃを同時に２つ有することができる。その他の実施例において、実際の構成上の必要性に応じて、ガイドプーリー上により多くの貫通孔を形成することができ、貫通孔の数は、制限されない。
【００２２】
図６は、本考案の第３の実施例に係るガイドプーリー構造を有する仕掛けを示した図である。本実施例の構造は、第１の実施例の構造と略同じであり、本実施例の第１の実施例との相違点は、道糸１に、ガイドプーリーＡに対応する２つの位置決め素子１１ａが設けられており、これら２つの位置決め素子１１ａがそれぞれガイドプーリーＡの上方と下方とに位置することである。また、道糸１には、ガイドプーリーＢに対応すると共にそれぞれガイドプーリーの上方と下方とに位置する２つの位置決め素子１１ｂと、ガイドプーリーＣに対応すると共にそれぞれガイドプーリーＣの上方と下方とに位置する２つの位置決め素子１１ｃとが更に設けられている。これによって、ガイドプーリーＡ、ガイドプーリーＢ、ガイドプーリーＣは、道糸１において互いに上下に間隔を置いて位置決められることができる。
【００２３】
図７は、本考案の第４の実施例に係るガイドプーリー構造を有する仕掛けを示した図である。本実施例の構造は、第１の実施例の構造と略同じであり、本実施例の第１の実施例との相違点は、本実施例に係るガイドプーリー構造を有する仕掛けが、ガイドプーリーＤと、ガイドプーリーＤに組み合わされるオモリ付ハリス２ｄとを含むことである。オモリ付ハリス２ｄは、一端にオモリ２１ｄが結合されたハリス２２ｄから成り、仕掛けを投げた時に仕掛け及び道糸１にかかる力を増大させて、より遠くに投げることができるようにするために用いられ、また、道糸１がオモリ付ハリス２ｄに従って水中に沈んで行き、エサを水中の深い所に沈ませるために用いられる。
【００２４】
このように、本考案に係るガイドプーリー構造を有する仕掛けは、ガイドプーリーがアクリル樹脂等を含むプラスチックから成り、体積が小さく且つコストが低廉であるため、従来の鉄製三又サルカンの用量を減らすことができ、ひいては、コストが高すぎる問題及び資源の無駄使いとなる問題を解決して環境保護に資することができる。さらに、ガイドプーリーが球状体であるため、水中の位置の隙間に引っかかりにくくなり、損失や無駄を低減することができる。また、ガイドプーリー、道糸及び針付ハリスが互いに結び付けられていないため、海流の流動に従って回動することができると共に、魚を引き付ける敏捷性を増大することができる。更には、魚を釣り上げる際に、ガイドプーリーが道糸に対して自由に３６０度回転することができ、且つ針付ハリスはガイドプーリーに対して自転することができることから、魚が絶えず身をよじることによって針付ハリスが湾曲変形して破損するようなことがない。なお、道糸は、一本の糸から成り、一度に複数のガイドプーリーを貫通することができるのであって、複数の直列接続糸が直列接続されて成る糸の組み合わせではないから、道糸が容易に切れてしまう問題を解決することができると共に、使用者は、手間をかけて糸を結ぶ方法を用いて複数のガイドプーリーを道糸に結び付ける必要がなく、一旦アタリがあった時に結び付けの力が足りずに糸が抜け落ちるおそれがあることを心配する必要がない。
【００２５】
以上は、本考案の好ましい実施例に過ぎず、本考案の範囲を限定するものではない。本考案の実用新案登録請求の範囲に基づいて為された均等の変化及び修正は、いずれも本考案の実用新案登録請求の範囲に含まれる。
【符号の説明】
【００２６】
Ａ、Ｂ、Ｃ、Ｄ  ガイドプーリー
Ａ１  第１の貫通孔
Ａ２  第２の貫通孔
Ａ３  第３の貫通孔
Ｅ、Ｆ、Ｇ  鉄製三又サルカン
１、８  道糸
２ａ、２ｂ、２ｃ、９ｅ、９ｆ、９ｇ  針付ハリス
２１ａ  針
２２ａ  ハリス
２３ａ  固定ヘッド
１１ａ、１１ｂ、１１ｃ  位置決め素子
２ｄ  オモリ付ハリス
２１ｄ  オモリ
２２ｄ  ハリス
【図１】
0003199925.tif 000003
【図２】
0003199925.tif 000004
【図３】
0003199925.tif 000005
【図４】
0003199925.tif 000006
【図５】
0003199925.tif 000007
【図６】
0003199925.tif 000008
【図７】
0003199925.tif 000009
【図８（ａ）】
0003199925.tif 000010
【図８（ｂ）】
0003199925.tif 000011
【図８（ｃ）】
0003199925.tif 000012
【図８（ｄ）】
0003199925.tif 000013
【図９（ａ）】
0003199925.tif 000014
【図９（ｂ）】
0003199925.tif 000015
【図９（ｃ）】
0003199925.tif 000016